(57)【要約】【課題】パック電池を携帯機器にセットして充電し、また携帯機器から外しても充電できるようにする。【解決手段】携帯機器と充電台は、誘導コイル５１と電池５４を内蔵するパック電池７０と、このパック電池７０を脱着自在にセットする携帯機器５０と、パック電池７０を装着した携帯機器５０を定位置にセットする装着凹部１２を有する充電台１０とを備える。充電台１０は、装着凹部１２の底面の内側に電源コイル２１を内蔵し、この電源コイル２１に電源２２を接続している。携帯機器と充電台は、携帯機器５０から外されたパック電池７０を装着して、装着凹部１２にセットできる形状の位置決めケース４５を備える。充電台１０は、パック電池７０を装着した携帯機器５０を装着凹部１２にセットしてパック電池７０を充電し、また携帯機器５０から外されたパック電池７０を位置決めケース４５に装着して装着凹部１２にセットしてパック電池７０を充電する。【選択図】図６
2010206881.tif 000002
【特許請求の範囲】
【請求項１】
誘導コイル(51)を内蔵し、この誘導コイル(51)に誘導される電力で充電される電池(54)を内蔵するパック電池(70)と、このパック電池(70)が脱着自在にセットされる携帯機器(50)と、前記パック電池(70)を装着してなる携帯機器(50)が脱着自在に定位置にセットされる装着凹部(12)を有する充電台(10)とを備え、
充電台(10)は、前記装着凹部(12)の底面に接近して、その内側に、前記携帯機器(50)にセットされるパック電池(70)の誘導コイル(51)に電磁結合される電源コイル(21)を内蔵すると共に、この電源コイル(21)に接続してなる電源(22)を備えており、
前記パック電池(70)が装着される携帯機器(50)が充電台(10)の装着凹部(12)にセットされて、充電台(10)の電源コイル(21)からパック電池(70)の誘導コイル(51)に電力搬送してパック電池(70)を充電するようにしてなる携帯機器と充電台であって、
前記携帯機器(50)から外されたパック電池(70)を脱着自在に装着でき、かつ前記充電台(10)の装着凹部(12)に脱着自在にセットできる外形の位置決めケース(45)を備えており、この位置決めケース(45)は、前記パック電池(70)が装着される状態で前記装着凹部(12)にセットされて、前記誘導コイル(51)を前記電源コイル(21)に電磁結合して電力搬送する形状を有し、
前記携帯機器(50)から外されたパック電池(70)が位置決めケース(45)に装着され、パック電池(70)を装着している位置決めケース(45)が充電台(10)の装着凹部(12)にセットされてパック電池(70)が充電されるようにしてなる携帯機器と充電台。
【請求項２】
前記携帯機器(50)が、前記パック電池(70)を表面に露出する状態でセットできる電池収納部(61)を有し、前記パック電池(70)は、前記電池収納部(61)にセットされて電池収納部(61)の開口部を閉塞する閉塞プレート(76)を備え、この閉塞プレート(76)の内側に誘導コイル(51)を配置している請求項１に記載される携帯機器と充電台。
【請求項３】
前記充電台(10)の装着凹部(12)がＵ溝状の湾曲底面(13)で、前記携帯機器(50)が背面にパック電池(70)をセットする電池収納部(61)を備え、さらに携帯機器(50)の背面にセットされる前記パック電池(70)の閉塞プレート(76)は、充電台(10)の装着凹部(12)に載せられる背面をＵ溝状の湾曲底面(13)に沿う形状に湾曲して湾曲背面(53)としており、パック電池(70)が湾曲背面(53)の内側に誘導コイル(51)を内蔵しており、さらに、前記位置決めケース(45)は背面をＵ溝状の湾曲底面(13)に沿う形状としており、
前記充電台(10)の装着凹部(12)にパック電池(70)を装着している携帯機器(50)がセットされて、電源コイル(21)から誘導コイル(51)に電力搬送してパック電池(70)の電池(54)が充電され、携帯機器(50)から分離されたパック電池(70)が装着される位置決めケース(45)が装着凹部(12)にセットされて、パック電池(70)の電池(54)が充電されるようにしてなる請求項１に記載される携帯機器と充電台。
【請求項４】
前記誘導コイル(51)が、湾曲背面(53)に沿う湾曲面に巻かれたコイルである請求項３に記載される携帯機器と充電台。
【請求項５】
充電台(10)の装着凹部(12)が、Ｕ溝状である湾曲底面(13)の長手方向が後方に向かって上り勾配に傾斜する姿勢であって、下端にストッパ壁(14)を設けており、装着凹部(12)にセットされる携帯機器(50)の長手方向を後方に向かって上り勾配とする姿勢で、携帯機器(50)が下端をストッパ壁(14)に載せて装着されるようにしてなる請求項３に記載される携帯機器と充電台。
【請求項６】
前記位置決めケース(45)が、前記ストッパ壁(14)に当接するウイング部(47)を下端に備えており、携帯機器(50)から分離されたパック電池(70)が装着される位置決めケース(45)が装着凹部(12)にセットされる状態で、このウイング部(47)をストッパ壁(14)に当接させてパック電池(70)を定位置に配置するようにしてなる請求項５に記載される携帯機器と充電台。
【請求項７】
前記パック電池(70)が、湾曲背面(53)に沿う湾曲面に巻かれた誘導コイル(51)を内蔵しており、この誘導コイル(51)がＵ溝状に湾曲する湾曲底面(13)の長手方向に細長いループ状である請求項３に記載される携帯機器と充電台。
【請求項８】
前記携帯機器(50)が、脱着自在なカバー(40)で被覆されており、前記充電台(10)の装着凹部(12)が、カバー(40)で被覆する携帯機器(50)とカバー(40)で被覆されない携帯機器(50)をセットできる内形としており、さらに、前記位置決めケース(45)が、装着しているパック電池(70)の誘導コイル(51)を前記電源コイル(21)に電磁結合して電力搬送できる位置に配置する請求項１に記載される携帯機器と充電台。
【請求項９】
前記位置決めケース(45)がカバー(40)と同じ背面形状の筒状である請求項７に記載される携帯機器と充電台。
【請求項１０】
前記携帯機器(50)が、背面に複数本の単３電池(54B)を平行に並べて収納する電池収納部(61)を有し、前記パック電池(70)がこの電池収納部(61)に脱着自在に収納される形状としている請求項１に記載される携帯機器と充電台。
【請求項１１】
前記充電台(10)が隣接する充電台(10)に脱着自在に連結できる連結部(17)を有する請求項１に記載される携帯機器と充電台。
【請求項１２】
誘導コイル(51)を内蔵し、この誘導コイル(51)に誘導される電力で充電される電池(54)を内蔵するパック電池(70)と、このパック電池(70)が脱着自在にセットされる携帯機器(50)と、前記パック電池(70)を装着してなる携帯機器(50)が脱着自在に定位置にセットされる装着凹部(12)を有する充電台(10)とを備え、
充電台(10)は、前記装着凹部(12)の底面に接近して、その内側に、前記携帯機器(50)にセットされるパック電池(70)の誘導コイル(51)に電磁結合される電源コイル(21)を内蔵すると共に、この電源コイル(21)に接続してなる電源(22)を備えており、
前記パック電池(70)が装着される携帯機器(50)が充電台(10)の装着凹部(12)にセットされて、充電台(10)の電源コイル(21)からパック電池(70)の誘導コイル(51)に電力搬送してパック電池(70)を充電するようにしてなる携帯機器と充電台に用いる位置決めケースであって、
前記携帯機器(50)から外されたパック電池(70)を脱着自在に装着でき、かつ前記充電台(10)の装着凹部(12)に脱着自在にセットできる外形を備えると共に、パック電池(70)が装着されて前記装着凹部(12)にセットされる状態で、前記誘導コイル(51)を前記電源コイル(21)に電磁結合して電力搬送する形状を有しており、
前記携帯機器(50)から外されたパック電池(70)が装着されて、充電台(10)の装着凹部(12)にセットされてパック電池(70)を充電するようにしてなる位置決めケース。
【発明の詳細な説明】
【技術分野】
【０００１】
本発明は、携帯機器に装着しているパック電池と、携帯機器から取り出したパック電池の両方を充電できる携帯機器と充電台及びこの携帯機器と充電台に用いる位置決めケースに関する。
【背景技術】
【０００２】
電磁誘導の作用で電源コイルから誘導コイルに電力搬送して、携帯機器に装着しているパック電池を充電する充電台は、接触不良を起こすことなく電池を充電できる特徴がある。また、充電するための接点を表面に露出する必要がなく、接点の汚れや感電を防止できる特徴がある。この構造の充電台はすでに開発されている。（特許文献１及び２参照）
【０００３】
特許文献１は、充電台に、高周波電源で励磁される電源コイルを内蔵し、パック電池には、電源コイルに電磁結合される誘導コイルを内蔵する構造を記載する。さらに、パック電池は、誘導コイルに誘導される交流を整流し、これを電池に供給して充電する回路も内蔵する。この構造によると、充電台の上にパック電池を載せて、非接触状態でパック電池の電池を充電できる。
【０００４】
さらに、特許文献２は、携帯機器の底部に電池を内蔵し、さらにその下方に二次側充電用アダプタを設けて、この二次側充電用アダプタに誘導コイルと充電回路を内蔵する構造を記載する。また、誘導コイルに電磁結合される電源コイルを充電台に設ける構造も記載する。充電台に二次側充電用アダプタを結合する携帯機器を載せ、電源コイルから誘導コイルに電力搬送して、携帯機器の電池を充電する。
【０００５】
【特許文献１】特開平９−６３６５５号公報
【特許文献２】実用新案登録第３０１１８２９号
【発明の概要】
【発明が解決しようとする課題】
【０００６】
特許文献１に記載される充電台は、パック電池を上に載せて無接点で電力搬送して充電できる。また、特許文献２の充電台は、電池を内蔵する携帯機器を載せて無接点で充電できる。これらの充電台は、電源コイルと誘導コイルを電磁結合して電力搬送して電池を充電するので、接点を介することなく無接点で接触不良を防止して確実に充電できる特徴がある。しかしながら、特許文献１の充電台は、パック電池を携帯機器から外して充電し、特許文献２の充電台は携帯機器を載せて充電するので、いずれの充電台も携帯機器を使用しながら充電できない欠点がある。
【０００７】
本発明は、以上の欠点を解決することを目的に開発されたものである。本発明の重要な目的は、極めて簡単な構造としながら、パック電池を携帯機器にセットして充電でき、また携帯機器から外しても充電できることで、パック電池を充電しながら携帯機器を使用することができる携帯機器と充電台を提供することにある。
また、本発明の他の大切な目的は、パック電池を携帯機器に装着して充電する状態と、パック電池を携帯機器から取り出して充電する状態のいずれの充電状態においても、誘導コイルを電源コイルに接近して効率よく電力搬送して電池を速やかに充電できる携帯機器と充電台を提供することにある。
また、本発明の他の大切な目的は、ユーザーが便利に使用して、携帯機器の電池を効率よく充電できる携帯機器と充電台を提供することにある。
さらにまた、本発明の他の大切な目的は、携帯機器から外したパック電池を充電台の正確な位置に確実に配置して、誘導コイルを電源コイルに接近させて効率よく電力搬送して電池を速やかに充電できる携帯機器と充電台に用いる位置決めケースを提供することにある。
【課題を解決するための手段及び発明の効果】
【０００８】
本発明の携帯機器と充電台は、誘導コイル５１を内蔵して、この誘導コイル５１に誘導される電力で充電される電池５４を内蔵するパック電池７０と、このパック電池７０が脱着自在にセットされる携帯機器５０と、パック電池７０を装着してなる携帯機器５０が脱着自在に定位置にセットされる装着凹部１２を有する充電台１０とを備えている。充電台１０は、装着凹部１２の底面に接近して、その内側に、携帯機器５０にセットされるパック電池７０の誘導コイル５１に電磁結合される電源コイル２１を内蔵すると共に、この電源コイル２１に接続してなる電源２２を備えている。充電台１０は、パック電池７０が装着される携帯機器５０が装着凹部１２にセットされる状態で、電源コイル２１からパック電池７０の誘導コイル５１に電力搬送してパック電池７０を充電する。さらに、携帯機器と充電台は、携帯機器５０から外されたパック電池７０を脱着自在に装着でき、かつ充電台１０の装着凹部１２に脱着自在にセットできる外形の位置決めケース４５を備えている。この位置決めケース４５は、パック電池７０が装着される状態で装着凹部１２にセットされて、誘導コイル５１を電源コイル２１に電磁結合して電力搬送する形状を有している。携帯機器と充電台は、携帯機器５０から外されたパック電池７０を位置決めケース４５に装着して、パック電池７０を装着している位置決めケース４５を充電台１０の装着凹部１２にセットしてパック電池７０を充電する。
【０００９】
以上の携帯機器と充電台は、簡単な構造としながら、パック電池を携帯機器にセットして充電でき、また携帯機器から外しても充電できることで、パック電池を充電しながら携帯機器を使用することができる特徴がある。とくに、以上の携帯機器と充電台は、パック電池を携帯機器に装着して充電する状態と、パック電池を携帯機器から取り出して充電するいずれの充電状態においても、誘導コイルを電源コイルに接近して効率よく電力搬送して電池を速やかに充電できる特徴がある。それは、充電台に、携帯機器を定位置にセットできる装着凹部を設けて、この装着凹部に携帯機器をセットして、パック電池を充電台の定位置にセットでき、携帯機器から取り出したパック電池は位置決めケースに装着して、装着凹部の定位置に配置されることから、パック電池は携帯機器に装着される状態で、誘導コイルを電源コイルに接近でき、さらに携帯機器から取り出した状態では位置決めケースを介して誘導コイルを電源コイルに接近して配置できる。このため、パック電池は、携帯機器に装着する状態で効率よく充電され、また、携帯機器から取り出した状態においても効率よく充電できる。
【００１０】
また、以上の携帯機器と充電台は、携帯機器を充電台の装着凹部に入れてパック電池を充電台の定位置に、また、位置決めケースを装着凹部に入れてパック電池を充電台の定位置にセットできることから、従来のように、位置決め凹部に位置決め凸部を案内するなどして正確にセットする必要がない。すなわち、携帯機器を装着凹部に入れ、または位置決めケースを装着凹部に入れて、誘導コイルを電源コイルに接近できることから、種々のユーザーが便利に使用して、パック電池を携帯機器に装着し、あるいは取り出して効率よく充電できる特徴も実現する。
【００１１】
本発明の携帯機器と充電台は、携帯機器５０が、パック電池７０を表面に露出する状態でセットできる電池収納部６１を有すると共に、パック電池７０が、電池収納部６１にセットされて電池収納部６１の開口部を閉塞する閉塞プレート７６を備えて、この閉塞プレート７６の内側に誘導コイル５１を配置することができる。
以上の構造は、パック電池を携帯機器に装着して、携帯機器の電池収納部の開口部を閉塞できるので、パック電池を簡単に脱着でき、しかも、閉塞プレートの内側に誘導コイルを配置しているので、誘導コイルを閉塞プレートで保護しながら、誘導コイルを充電台の電源コイルに接近できる。
【００１２】
本発明の携帯機器と充電台は、充電台１０の装着凹部１２をＵ溝状の湾曲底面１３として、携帯機器５０が背面にパック電池７０をセットする電池収納部６１を備えて、さらに、携帯機器５０の背面にセットされるパック電池７０の閉塞プレート７６を、充電台１０の装着凹部１２に載せられる背面をＵ溝状の湾曲底面１３に沿う形状に湾曲された湾曲背面５３として、パック電池７０が湾曲背面５３の内側に誘導コイル５１を内蔵して、位置決めケース４５の背面をＵ溝状の湾曲底面１３に沿う形状とすることができる。この充電台１０は、パック電池７０を装着している携帯機器５０を装着凹部１２にセットして、電源コイル２１から誘導コイル５１に電力搬送してパック電池７０の電池５４を充電し、携帯機器５０から分離されたパック電池７０が装着された位置決めケース４５を装着凹部１２にセットして、パック電池７０の電池５４を充電することができる。
【００１３】
この構造の携帯機器と充電台は、極めて簡単な構造としながら、誘導コイルと電源コイルとを効率よく電磁結合させて、充電台から携帯機器に能率よく電力搬送してパック電池の電池を速やかに充電できる特徴がある。それは、装着凹部の底面を湾曲底面とし、さらに、ここにセットする携帯機器の背面にセットされるパック電池の閉塞プレートを湾曲背面とすることから、パック電池を装着している携帯機器を装着凹部にセットし、あるいは携帯機器から分離されたパック電池が装着された位置決めケースを装着凹部にセットすると、それ自体の自重で、湾曲底面の底部に湾曲背面が位置するように案内されるからである。このように、独特の構造で湾曲底面と湾曲背面を接近して定位置に案内できることから、湾曲底面の内側に内蔵される誘導コイルを、常に電源コイルに接近させて、電源コイルから誘導コイルへの電力搬送を効率よくして、パック電池の電池を速やかに充電できる特徴を実現する。
【００１４】
本発明の携帯機器と充電台は、誘導コイル５１を、湾曲背面５３に沿う湾曲面に巻かれたコイルとすることができる。
この構造は、誘導コイルを湾曲背面に沿う湾曲面に巻かれた形状とすることから、誘導コイルを湾曲背面に接近して、いいかえると、湾曲底面の内側に内蔵している電源コイルに、より接近して配設できる。このため、誘導コイルを電源コイルに接近して配設でき、さらに、前述した独特の構造で湾曲底面と湾曲背面を接近して定位置に案内できることから、電源コイルから誘導コイルへの電力搬送をより効率よくして、パック電池の電池を速やかに充電できる。
【００１５】
本発明の携帯機器と充電台は、充電台１０の装着凹部１２を、Ｕ溝状である湾曲底面１３の長手方向が後方に向かって上り勾配に傾斜する姿勢として、下端にストッパ壁１４を設けて、装着凹部１２にセットされる携帯機器５０の長手方向を後方に向かって上り勾配とする姿勢で、携帯機器５０の下端をストッパ壁１４に載せて装着することができる。
この構造の携帯機器と充電台は、携帯機器の下端を装着凹部のストッパ壁に載せてセットすることで、携帯機器の長手方向のずれを阻止し、さらに、装着凹部の湾曲底面に、携帯機器の湾曲背面を案内することで長手方向に交差する横方向のずれを防止できる。このため、装着凹部にセットされる携帯機器の長手方向と横方向のずれを防止して、誘導コイルを常に電源コイルに接近させて、パック電池の電池を効率よく充電できる。
【００１６】
本発明の携帯機器と充電台は、位置決めケース４５が、ストッパ壁１４に当接するウイング部４７を下端に備えて、携帯機器５０から分離されたパック電池７０が装着される位置決めケース４５を装着凹部１２にセットする状態で、このウイング部４７をストッパ壁１４に当接させてパック電池７０を定位置に配置することができる。
この構造の携帯機器と充電台は、携帯機器から分離されたパック電池を位置決めケースに装着して装着凹部にセットする状態において、位置決めケースの下端に設けたウイング部を装着凹部の下端に設けたストッパ壁に当接させることで、位置決めケースを極めて簡単に位置決めして、位置決めケースに装着されたパック電池を充電台の定位置に配置できる。
【００１７】
本発明の携帯機器と充電台は、携帯機器５０が、湾曲背面５３に沿う湾曲面に巻かれた誘導コイル５１を内蔵して、この誘導コイル５１を、Ｕ溝状に湾曲する湾曲底面１３の長手方向に細長いループ状とすることができる。
この構造は、誘導コイルと電源コイルとの電磁結合する面積を大きくして効率よく電池を充電できる。
【００１８】
本発明の携帯機器と充電台は、携帯機器５０を、脱着自在なカバー４０で被覆して、充電台１０の装着凹部１２を、カバー４０で被覆する携帯機器５０とカバー４０で被覆されない携帯機器５０をセットできる内形とし、さらに、位置決めケース４５が、装着しているパック電池７０の誘導コイル５１を、電源コイル２１に電磁結合して電力搬送できる位置に配置することができる。
この構造の携帯機器と充電台は、携帯機器をカバーで被覆する状態で、あるいはカバーで被覆しない状態においても、装着凹部の所定の位置に案内して、誘導コイルを電源コイルに接近してパック電池を充電でき、さらに、パック電池を携帯機器から取り出して位置決めケースに装着して、装着凹部にセットして効率よく充電できる。
【００１９】
本発明の携帯機器と充電台は、位置決めケース４５を、カバー４０と同じ背面形状の筒状とすることができる。。
以上の構造によると、パック電池を位置決めケースに装着して、パック電池を装着している携帯機器と同じように充電台の装着凹部にセットして充電できる。
【００２０】
本発明の携帯機器と充電台は、携帯機器５０が、背面に複数本の単３電池５４Ｂを平行に並べて収納する電池収納部６１を有し、パック電池７０を、電池収納部６１に脱着自在に収納される形状とすることができる。
この構造は、パック電池を装着する携帯機器を充電台にセットして、パック電池に内蔵される電池を充電し、また、パック電池を携帯機器から外した状態で、パック電池に代わって単３電池を電池収納部に入れて携帯機器を使用することができる。
【００２１】
本発明の携帯機器と充電台は、充電台１０が隣接する充電台１０に脱着自在に連結できる連結部１７を有することができる。
この構造は、複数台の充電台を連結して、複数の携帯機器の電池を充電できる。
【００２２】
本発明の位置決めケースは、誘導コイル５１を内蔵して、この誘導コイル５１に誘導される電力で充電される電池５４を内蔵するパック電池７０と、このパック電池７０が脱着自在にセットされる携帯機器５０と、パック電池７０を装着してなる携帯機器５０が脱着自在に定位置にセットされる装着凹部１２を有する充電台１０とを備える携帯機器と充電台に用いられる。充電台１０は、装着凹部１２の底面に接近して、その内側に、携帯機器５０にセットされるパック電池７０の誘導コイル５１に電磁結合される電源コイル２１を内蔵すると共に、この電源コイル２１に接続してなる電源２２を備えている。充電台１０は、パック電池７０が装着される携帯機器５０が装着凹部１２にセットされる状態で、電源コイル２１からパック電池７０の誘導コイル５１に電力搬送してパック電池７０を充電する。位置決めケースは、携帯機器５０から外されたパック電池７０を脱着自在に装着でき、かつ充電台１０の装着凹部１２に脱着自在にセットできる外形を備えている。さらに、位置決めケースは、パック電池７０が装着されて装着凹部１２にセットされる状態で、誘導コイル５１を電源コイル２１に電磁結合して電力搬送する形状を有している。位置決めケースは、携帯機器５０から外されたパック電池７０が装着されて、充電台１０の装着凹部１２にセットされて、パック電池７０を充電する。
【００２３】
以上の位置決めケースは、パック電池を携帯機器から取り出して充電する状態において、パック電池を充電台の正確な位置に確実に配置して、誘導コイルを電源コイルに接近させて効率よく電力搬送して電池を速やかに充電できる特徴がある。それは、この位置決めケースが、充電台に設けた装着凹部にセットできる外形とすると共に、携帯機器から取り出したパック電池を装着して装着凹部にセットする状態で、誘導コイルを電源コイルに電磁結合して電力搬送する形状としているからである。この構造の位置決めケースは、携帯機器から取り出したパック電池を簡単かつ容易に充電台の装着凹部の定位置に配置して、電池を速やかに充電できる。さらに、位置決めケースは、携帯機器から取り出したパック電池を装着する状態で持ち運びできる特徴がある。携帯機器から取り外したパック電池は出力端子が露出する状態となるが、この位置決めケースにパック電池を装着することで、出力端子を露出させることなく保護しながら、また、ショート等の弊害を阻止しながら安全に持ち運びできる。
【図面の簡単な説明】
【００２４】
【図１】本発明の一実施例にかかる携帯機器と充電台の斜視図であって、携帯機器をカバーで被覆することなく充電台にセットする状態を示す図である。
【図２】本発明の一実施例にかかる携帯機器と充電台の斜視図であって、携帯機器をカバーで被覆して充電台にセットする状態を示す図である。
【図３】図１に示す携帯機器と充電台のＡ−Ａ線断面図である。
【図４】図２に示す携帯機器と充電台のＡ−Ａ線断面図である。
【図５】本発明の一実施例にかかる携帯機器と充電台の斜視図であって、パック電池を携帯機器から外して充電台にセットする状態を示す図である。
【図６】パック電池を位置決めケースに装着して充電台にセットする状態を示す分解斜視図である。
【図７】図５に示す充電台のＡ−Ａ線断面図である。
【図８】図５に示す充電台のＢ−Ｂ線断面図である。
【図９】携帯機器からパック電池を取り外す状態を示す分解斜視図である。
【図１０】充電台の斜視図である。
【図１１】図１０に示す充電台の上ケースを外した斜視図である。
【図１２】図２に示す携帯機器と充電台のＢ−Ｂ線断面図である。
【図１３】本発明の一実施例にかかる携帯機器と充電台のブロック回路図であって、複数の充電台を並べて使用する状態を示す図である。
【図１４】複数の充電台を並べて使用する状態を底面から見た背面斜視図である。
【図１５】カバーで被覆している携帯機器の斜視図である。
【図１６】図９に示すパック電池の底面斜視図である。
【図１７】図１６に示すパック電池の分解斜視図である。
【図１８】位置決めケースの斜視図である。
【図１９】図１８に示す位置決めケースの底面斜視図である。
【発明を実施するための形態】
【００２５】
以下、本発明の実施例を図面に基づいて説明する。ただし、以下に示す実施例は、本発明の技術思想を具体化するための携帯機器と充電台を例示するものであって、本発明は携帯機器と充電台を以下のものに特定しない。
【００２６】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２７】
図１ないし図４は、携帯機器５０を充電台１０の装着凹部１２にセットする状態を示している。図１と図３は、携帯機器５０をカバーで被覆することなく充電台１０にセットする状態を示し、図２と図４は、携帯機器５０をカバー４０で被覆して充電台１０にセットする状態を示している。さらに、図５ないし図８は、パック電池７０を携帯機器５０から分離して位置決めケース４５に装着して充電台１０の装着凹部１２にセットする状態を示している。
【００２８】
携帯機器５０は、図９に示すように、パック電池７０を脱着できるように装着する電池収納部６１を備えている。電池収納部６１に装着されるパック電池７０は、図３、図４、及び図７に示すように、誘導コイル５１と、この誘導コイル５１に電力搬送される電力で充電される電池５４を内蔵している。充電台１０は、携帯機器５０をケース１１の装着凹部１２に脱着自在にセットして、携帯機器５０に装着しているパック電池７０の電池５４を充電する。本実施例においては、携帯機器５０として、ゲーム機器本体等の電子製品を、操作するリモコンが利用できる。
【００２９】
図１ないし図８、及び図１０の充電台１０は、上ケース１１Ａに装着凹部１２を設けている。上ケース１１Ａの装着凹部１２は、底面をＵ溝状に湾曲する湾曲底面１３としている。図の上ケース１１Ａの装着凹部１２は、Ｕ溝状である湾曲底面１３の長手方向が、後方に向かって上り勾配に傾斜する姿勢であって、下端にはストッパ壁１４を設けている。この装着凹部１２は、長手方向に直交する断面形状をＵ溝状として、携帯機器５０を正確な位置に案内する。この上ケース１１Ａは、装着凹部１２の両側に一対の側壁１５を設けて、装着凹部１２の下端部にはストッパ壁１４を設ける形状にプラスチックを成形して製作している。
【００３０】
さらに、図の上ケース１１Ａは、ストッパ壁１４に、ＬＥＤ３０の発光を外部に照射する光ガイド３１を露出させている。光ガイド３１は、透光性のプラスチック製で、図１１と図１２に示すように下ケース１１Ｂに固定している。この光ガイド３１は、ケース１１内に固定している回路基板２０に配置されるＬＥＤ３０の光を先端の露出部３１Ａにガイドして、露出部３１Ａから外部に照射する。露出部３１Ａの先端は、ストッパ壁１４の表面側と、ストッパ壁１４の内面側、すなわち装着凹部１２側に露出して、ＬＥＤ３０の発光をストッパ壁１４の表面と、ストッパ壁１４の内面に照射する。ストッパ壁１４の内面に照射される発光は、図１２に示すように、携帯機器５０のカバー４０に照射されてカバー４０を発光させる。
【００３１】
充電台１０は、図３、図４、図７、図８、及び図１１に示すように、上ケース１１Ａの湾曲底面１３の内側に電源コイル２１を配置している。電源コイル２１は平面状に巻かれた平面コイルで、湾曲底面１３の内面に接近して配設している。電源コイル２１は、Ｕ溝状の長手方向に細長いループ状に巻いて、長手方向に長い領域に電力搬送できるようにしている。図の電源コイル２１は平面コイルであるが、電源コイルは、湾曲底面に沿うように両側部を湾曲面とする平面コイルとすることもできる。
【００３２】
電源コイル２１は、誘導コイル５１との反対側、図において電源コイル２１の下側にシールド層２３を設けている。シールド層２３は、透磁率の高い金属やフェライトからなる層で、電源コイル２１の誘導コイル５１と反対側をシールドする。シールド層２３と電源コイル２１は、ケース１１に内蔵しているプラスチック製の支持台１６に固定している。支持台１６は、回路基板２０を挟着して下ケース１１に固定されて、シールド層２３と電源コイル２１をケース１１の定位置に配置する。この支持台１６は、湾曲底面１３に沿う傾斜面１６Ａを有し、この傾斜面１６Ａにシールド層２３と電源コイル２１とを積層して固定している。
【００３３】
電源コイル２１は、図１３の回路図に示すように、回路基板２０に実装される高周波の電源２２に接続している。高周波の電源２２は、ＡＣアダプタ２５から入力される直流電力を高周波電力に変換して電源コイル２１に供給する。高周波の電源２２は、携帯機器５０に装着しているパック電池７０の電池５４が満充電されると高周波電力の出力を遮断する回路を内蔵している。パック電池７０に内蔵される電池５４の満充電は、パック電池７０に内蔵している充電回路５２で検出される。高周波の電源２２は、パック電池７０の充電回路５２と通信して、パック電池７０の電池５４が満充電されたことを検出して出力を遮断することができる。
【００３４】
図１３と図１４は、複数台の充電台１０を横に並べて、複数の携帯機器５０に装着しているパック電池７０の電池５４を充電する状態を示している。この状態で使用される充電台１０は、横に隣接する充電台１０に脱着自在に連結できる連結部１７を備えている。連結部１７は、水平面内で９０度回転させて、折り畳みできるように下ケース１１Ｂの底面に連結される。この連結部１７はプラスチック製で、図１１に示すように、その一端部には、下ケース１１Ｂに回転できるように連結する回転軸１７Ａを上に突出して設けており、他端部には、隣接する充電台１０の下ケース１１Ｂに設けた嵌着凹部１８に案内される嵌着凸部１７Ｂを上に突出して設けている。下ケース１１Ｂは、連結部１７の嵌着凸部１７Ｂを案内する嵌着凹部１８を底面に設けている。この連結部１７は、使用しない状態では、隣の充電台１０に突出しないように折り畳まれる。隣に充電台１０を並べて使用するときは、９０度回転して、下ケース１１Ｂから引き出し、嵌着凸部１７Ｂを隣の下ケース１１Ｂの嵌着凹部１８に入れて、隣接する充電台１０を連結する。
【００３５】
充電台１０に内蔵される高周波の電源２２の回路図を図１３に示している。この電源２２は、ＡＣアダプタ２５から入力される電源コネクタ２６と、隣の充電台１０から入力される外部入力コネクタ２７から電力が供給される。電源コネクタ２６と外部入力コネクタ２７は、図１４に示すように、ケース１１のケース１１の背面に固定している。さらに、ケース１１の底面には、隣の充電台１０に電力を供給する電源コード２８を脱着できるように収納している。電源コード２８を収納するために、ケース１１の底面には電源コード２８を嵌着する収納凹部１９を設けている。この電源コード２８は、高周波の電源２２に接続している。
【００３６】
高周波の電源２２は、電源コネクタ２６から入力される電力と、外部入力コネクタ２７から入力される電力とを切り換えて、携帯機器５０に装着しているパック電池７０の電池５４を充電する。すなわち、電源コイル２１を励磁する。図１３と図１４に示すように、第１の充電台１０Ａと第２の充電台１０Ｂを連結して第１の携帯機器５０Ａに装着しているパック電池７０の電池５４と第２の携帯機器５０Ｂに装着しているパック電池７０の電池５４を充電するには、以下の工程でふたつの携帯機器５０のパック電池７０を充電する。
（１）第１の充電台１０ＡをＡＣアダプタ２５に接続して、ＡＣアダプタ２５から第１の充電台１０Ａの電源２２に直流電力を供給する。第１の充電台１０Ａの電源２２は、ＡＣアダプタ２５から入力される直流電力で電源コイル２１を励磁して、第１の携帯機器５０Ａに装着しているパック電池７０の電池５４を充電する。この状態で、第１の充電台１０Ａの電源２２は、電源コード２８からは電力を出力しない。
（２）第１の携帯機器５０Ａに装着しているパック電池７０の電池５４が満充電されると、第１の充電台１０Ａの電源２２は電源コイル２１の励磁を停止して、電源コード２８から第２の充電台１０Ｂに直流電力を出力する。
（３）第２の充電台１０Ｂの電源２２は、電源コード２８から入力される直流電力、すなわち外部入力コネクタ２７から入力される直流電力でもって、電源コイル２１を励磁して、第２の携帯機器５０Ｂに装着しているパック電池７０の電池５４を充電する。第２の携帯機器５０Ｂに装着しているパック電池７０の電池５４が満充電されると、第２の充電台１０Ｂの電源２２は電源コイル２１の励磁を停止して、パック電池７０の充電を終了する。
【００３７】
以上のように、複数のパック電池７０の電池５４を順番に充電する回路構成は、ＡＣアダプタ２５からの入力電力を大きくすることなく、複数のパック電池７０の電池５４を満充電できる。
【００３８】
携帯機器５０は、図９に示すように、背面に開口してパック電池７０を装着する電池収納部６１を設けている。電池収納部６１にパック電池７０を装着した状態で、携帯機器５０は、図３と図４に示すように、充電台１０の装着凹部１２に載せられる背面をＵ溝状の湾曲底面１３に沿う形状に湾曲して湾曲背面５３として、この湾曲背面５３の内側に、湾曲背面５３の沿う湾曲面に巻かれた誘導コイル５１を内蔵している。
【００３９】
図１５は、脱着自在なカバー４０で被覆している携帯機器５０を示す斜視図である。このカバー４０は、携帯機器５０の機器本体のケース表面に設けているスイッチなどの操作部６５を露出して、操作部６５のない表面をカバーしている。図の携帯機器５０は、前面と背面の一部にスイッチなどの操作部６５を設けているので、操作部６５のない携帯機器５０の背面の上部のスイッチ部を除くほぼ全面と、両側面と上下面からなる外周面と、前面の外周部を被覆している。カバー４０は、弾性的に収縮して携帯機器５０の表面に密着するように被着される。また、カバー４０は伸縮して携帯機器５０に脱着できるように被着される。
【００４０】
携帯機器５０は、カバー４０で被覆する状態で、あるいはカバーで被覆されない状態で、充電台１０の装着凹部１２にセットして、パック電池７０に内蔵される電池５４を充電する。カバー４０は、伸縮性のある軟質プラスチックや天然あるいは合成ゴムで、携帯機器５０を落下や衝突などの衝撃から保護する。カバー４０で被覆し、あるいは被覆されない携帯機器５０は、図１と図２に示すように、上下の長手方向を後方に向かって上り勾配とする姿勢で充電台１０の装着凹部１２にセットされ、その下端をストッパ壁１４に載せる姿勢で装着される。
【００４１】
携帯機器５０は、背面に開口するように電池収納部６１を設けて、ここにパック電池７０を装着して開口部を閉塞している。パック電池７０は、充電できる電池５４と誘導コイル５１を内蔵している。パック電池７０は、携帯機器５０に装着されて湾曲背面５３となる閉塞プレート７６の内側に誘導コイル５１を収納している。携帯機器５０の電池収納部６１は、図３、図４、及び図９の鎖線で示すように、複数の、図にあっては２本の単３電池５４Ｂを平行に並べて収納できる形状としている。パック電池７０は、複数の、図にあっては２本の単３電池５４Ｂに代わって電池収納部６１に脱着自在に収納できる外形としている。この構造の携帯機器５０は、図９に示すように、単３電池５４Ｂと充電できるパック電池７０の両方で便利に使用できる。携帯機器５０は、図９の鎖線で示すように、電池収納部６１に単３電池５４Ｂを装着する状態では、開口部を脱着蓋６３で閉塞する。脱着蓋６３は、電池収納部６１の開口部に脱着できるように連結される。脱着蓋６３を外して、電池収納部６１に単３電池５４Ｂを装着し、単３電池５４Ｂを装着する状態で脱着蓋６３を携帯機器５０に連結して電池収納部６１の開口部を閉塞する。
【００４２】
パック電池７０は、脱着蓋６３を外して電池収納部６１に装着される。電池収納部６１に装着されるパック電池７０は、脱着蓋を一体構造に設けている。このパック電池７０は、電池収納部６１に装着されて、開口部を閉塞する。パック電池７０を図１６と図１７に示している。図１７は、図１６に示すパック電池７０の分解斜視図である。さらに、携帯機器５０を充電台１０にセットした状態の断面図を図３と図４に示している。これらの図に示すパック電池７０は、電池５４を収納している電池ケース７１と、この電池ケース７１に収納している２本の単４電池５４Ａと、単４電池５４Ａを定位置に配置する電池ホルダ７２と、この電池ホルダ７２の上に積層するように配設されて電池５４に接続している回路基板７３と、この回路基板７３の上に積層するように配設しているブラケット７４と、このブラケット７４の上に配設しているシールド層７５と、シールド層７５の上に配設している誘導コイル５１と、さらに誘導コイル５１の上に配設している閉塞プレート７６とを備える。閉塞プレート７６とブラケット７４と電池ホルダ７２は、絶縁材のプラスチックを成形して製作している。
【００４３】
閉塞プレート７６は、携帯機器５０の湾曲背面５３に沿う湾曲面に成形して、表面と内面を湾曲面としている。図の閉塞プレート７６は、電池収納部６１の脱着蓋６３に代わって使用されるので、外形を電池収納部６１の開口部を閉塞できる外形、すなわち脱着蓋６３と同じ形状に成形している。図のパック電池７０は、閉塞プレート７６を介して携帯機器５０の電池収納部６１に連結する。この閉塞プレート７６は、電池収納部６１の開口部に脱着できるように、上端部（図１６において左下部）に係止フック７７を一体的に成形して設けて、下端部（図１６において右上部）には電池収納部６１の開口部に係止される弾性フック７８を一体的に成形して設けている。電池収納部６１は、係止フック７７と弾性フック７８を係止する係止凹部６７、６８を電池収納部６１の上下端部に設けている。このパック電池７０は、係止フック７７を係止凹部６７に引っかける状態で電池収納部６１に押し込んで、弾性フック７８を係止凹部６８に係止して、電池収納部６１に外れない状態でセットされる。弾性フック７８を弾性的に変形して係止凹部６８から外して、パック電池７０は携帯機器５０から外すことができる。さらに、図３と図４の断面図に示す閉塞プレート７６は、両側縁の中央部に長手方向に伸びる凸条７９を設けている。この凸条７９は、携帯機器５０に設けた電池収納部６１の開口部両側に設けたガイド溝６９に入れられて、閉塞プレート７６を開口部に確実に連結している。
【００４４】
誘導コイル５１は、閉塞プレート７６の内面に配設される。誘導コイル５１は、表面に絶縁皮膜を設けている金属である銅線を平面状に巻いて平面コイルとし、これを閉塞プレート７６の内面の湾曲面に沿う形状に変形して、閉塞プレート７６の湾曲面に接近して配設している。誘導コイル５１は、電源コイル２１に効率よく電磁結合できるように、携帯機器５０の長手方向、すなわち単４電池５４Ａの長手方向に細長いループ状としている。
【００４５】
シールド層７５は、誘導コイル５１の下面に積層されて、回路基板７３及び電池５４を電源コイル２１から磁気シールドする。このシールド層７５は、金属やフェライト等の透磁率の高い層で、電源コイル２１の高周波が回路基板７３や電池５４に影響を与えるのを防止する。シールド層７５は、誘導コイル５１に沿う形状に湾曲されて、誘導コイル５１の背面に接近して配設される。
【００４６】
ブラケット７４はプラスチック製で、閉塞プレート７６に対向する表面を、閉塞プレート７６に沿う湾曲面に成形している。ブラケット７４は、その表面と閉塞プレート７６の内面とに間に湾曲する隙間を設けて、ここに誘導コイル５１とシールド層７５を挟着する状態で固定している。ブラケット７４は、回路基板７３に対向する裏面を平面状とし、あるいは回路基板７３に実装する電子部品を案内する凹部を設けた形状に成形して、回路基板７３に積層するように固定される。さらに、ブラケット７４は、誘導コイル５１を定位置に配置する位置決め凸部７４ａを表面に一体的に成形して設けている。位置決め凸部７４ａは、細長い誘導コイル５１の内側穴に案内されて、誘導コイル５１を定位置に配置する。図１７のブラケット７４は、細長い誘導コイル５１の内側穴の長手方向に離して、その両端部に位置するように設けて、誘導コイル５１を定位置に配置している。
【００４７】
回路基板７３は、誘導コイル５１に誘導される電力で電池５４を充電する充電回路（図示せず）を実現する電子部品８４を実装している。この充電回路は、誘導コイル５１に誘導される高周波電力を電池５４を充電できる直流に変換して電池５４を充電する。回路基板７３は、実装する電子部品８４を、図１７において下面（図３と図４において上面）、すなわち電池側に固定している。
【００４８】
電池ホルダ７２は、複数本、図においては２本の単４電池５４Ａを定位置に配置すると共に、回路基板７３を定位置に配置する。電池ホルダ７２はプラスチック製で、電池対向面に電池５４の嵌着凹部７２ａを設ける形状に成形している。図のパック電池７０は、２本の単４電池５４Ａを内蔵するので、単４電池５４Ａの円筒に沿う形状の嵌着凹部７２ａを平行に２列に設けている。パック電池７０の単４電池５４Ａは、図３と図４の鎖線で示す単３電池５４Ｂに代わって電池収納部６１に装着される。単４電池５４Ａは単３電池５４Ｂよりも外径が小さいので、図３と図４に示すように、電池収納部６１に装着される単３電池５４Ｂよりも中心位置を両側に離して配置して、電池間の隙間を広くして、ここに回路基板７３に実装する電子部品８４を配置する収納スペース８２を設けている。すなわち、単４電池５４Ａは、できる限り外側に離して配置して、電池間の収納スペース８２を広くしている。
【００４９】
電池ホルダ７２は、回路基板７３との対向面である基板対向面に、回路基板７３を定位置に嵌着する周壁７２ｂを一体的に成形して設けている。この周壁７２ｂの内側に回路基板７３を嵌着して、定位置に固定している。さらに、電池ホルダ７２は、回路基板７３に固定している電子部品８４を案内する凹部７２ｃを基板対向面に設けている。この凹部７２ｃは、隣接する電池５４の間にあって、電池５４の間にできる収納スペース８２を有効に利用して、電子部品８４を配設している。
【００５０】
電池ケース７１は、内部に複数、図にあっては２本の単４電池５４Ａを収納できる箱形にプラスチックを成形して、開口部を閉塞プレート７６に連結している。図７の電池ケース７１は、これを貫通する止ネジ８１を、閉塞プレート７６のネジ止めボス７６Ａにねじ込んで閉塞プレート７６に固定して組み立てられる。閉塞プレート７６は、ネジ止めボス７６Ａが、ブラケット７４と電池ホルダ７２とを貫通する状態で電池ケース７１に固定されて、電池ケース７１と閉塞プレート７６とでブラケット７４と電池ホルダ７２とを挟着して定位置に固定している。ただ、箱形の電池ケースは、開口縁を閉塞プレートに嵌合係止構造で連結し、あるいは溶着して連結して、開口部を閉塞プレートで閉塞することもできる。図３と図４の断面図に示す電池ケース７１は、電池収納部６１に設けている隔壁６６を案内する案内溝７１ａを底面に設けている。隔壁６６は、単３電池５４Ｂを定位置に収納するために、電池５４の間に設けている。さらに、電池ケース７１は、案内溝７１ａの両側に、単４電池５４Ａを定位置に配置する保持リブ７１ｂを一体的に成形して設けている。この電池ケース７１は、保持リブ７１ｂと両側の側壁との間に単４電池５４Ａを入れて定位置に配置している。さらに、電池ケース７１は、出力端子８３を外部に露出させる端子窓７１ｃを開口して、端子窓７１ｃから出力端子８３を外部に露出している。パック電池７０の出力端子８３は、電池収納部６１に設けている電源端子６２に接触して、携帯機器５０に電力を供給する。電源端子６２は、電池収納部６１に収納される単３電池５４Ｂの電極に接触する位置に配置される。したがって、単３電池５４Ｂに代わってパック電池７０を収納して、パック電池７０から携帯機器５０に電力が供給される。
【００５１】
以上のパック電池７０は、以下の工程で組み立てられる。
（１）電池ケース７１に電池５４を収納し、この電池５４の上に電池ホルダ７２を配設して電池５４を定位置に配置する。
（２）電池ホルダ７２の上に回路基板７３とブラケット７４を積層し、さらに、ブラケット７４の上にシールド層７５を介して誘導コイル５１を積層して、誘導コイル５１をブラケット７４の定位置に配置する。この状態で、回路基板７３と電池５４と誘導コイル５１とを接続し、電池ケース７１の端子窓７１ｃの内側に回路基板７３に接続している出力端子８３を配置する。
（３）電池ケース７１を貫通する止ネジ８１を閉塞プレート７６のネジ止めボス７６Ａにねじ込んで、電池５４の収納された電池ケース７１を電池組立８０として閉塞プレート７６に固定する。
【００５２】
以上の構成を備える本実施例の携帯機器と充電台においては、携帯機器５０を、脱着自在なカバー４０で被覆しており、充電台１０の装着凹部１２を、カバー４０で被覆する携帯機器５０をセットできる内形としている。この構造の携帯機器と充電台は、携帯機器５０をカバー４０で被覆する状態で、あるいはカバーで被覆しない状態においても、装着凹部１２の所定の位置に案内して、誘導コイル５１を電源コイル２１に接近して携帯機器５０の電池５４を効率よく充電できる。
【００５３】
図３に示すように、カバーで被覆されない携帯機器５０が適切に配置された状態においては、充電台１０の湾曲底面１３の最も底の部分と、携帯機器５０の湾曲背面５３の最も底の部分が一致して接触する。充電台１０の湾曲底面１３と、携帯機器５０の湾曲背面５３は、左右対称な構造なので、携帯機器５０を充電台１０の装着凹部１２に装着すると、携帯機器５０自体の自重で、滑り落ちるようにして、適切な配置位置に配置できる。そして、充電台１０の湾曲底面１３と、携帯機器５０の湾曲背面５３とを、摩擦係数が小さい材質のプラスチック材料とすると、このように、より容易に、滑り落ちるようにして、適切な配置位置に配置できる。
【００５４】
また、図４に示すように、カバー４０で被覆する状態においても、充電台１０の湾曲底面１３に、携帯機器５０の湾曲背面５３を配置するときに、以下のように位置合わせができるので、容易に位置合わせして、効率よく充電することができる。
（１）充電台１０の湾曲底面１３の最も底の部分と、携帯機器５０の湾曲背面５３の最も底の部分を合わせるようにして配置すると位置合わせが良好にできる。
（２）充電台１０の湾曲底面１３、携帯機器５０の湾曲背面５３は、左右対称な構造なので、両者の中心線を合わせるようにして配置すると位置合わせが良好にできる。
（３）携帯機器５０の前面が、左右方向に水平となるように配置すると位置合わせが良好にできる。
【００５５】
さらに、パック電池７０は、図５と図６に示すように、携帯機器５０から取り出して、位置決めケース４５に入れて充電台１０にセットして充電することもできる。位置決めケース４５は、パック電池７０を装着する状態で充電台１０の装着凹部１２に脱着自在にセットできる外形で、図７と図８に示すように、パック電池７０を装着して装着凹部１２にセットする状態で、パック電池７０の誘導コイル５１を充電台１０の電源コイル２１に電磁結合して電力搬送する形状としている。位置決めケース４５は、図８、図１８、及び図１９に示すように、上端を開口して、下端を閉塞している筒状にプラスチックを成形している。筒状の位置決めケース４５の長手方向の寸法は、パック電池７０よりも短く、パック電池７０を挿入する状態で、パック電池７０の上部を外部に突出させている。この位置決めケース４５は、突出する部分を掴んで簡単に位置決めケース４５に出し入れできる。パック電池７０よりも短い位置決めケース４５は、パック電池７０を充電台１０の装着凹部１２の定位置に配置できるように、長手方向の寸法をパック電池７０の全長の半分よりも長くしている。さらに、位置決めケース４５は、背面をＵ溝状の湾曲底面１３に沿う形状として、横幅を携帯機器５０の横幅に等しくし、内形をパック電池７０を挿入して定位置に保持できる形状として、パック電池７０を充電台１０の装着凹部１２の定位置に配置する。さらに、図に示す位置決めケース４５は、開口端の背面側を湾曲底面１３に沿って突出させて突出片４８を設けている。図に示す突出片４８は、上端部をＵ曲してなる形状としている。この位置決めケース４５は、図８に示すように、装着されるパック電池７０の背面を、位置決めケース４５の背面とこの背面から延長される突出片４８で支持するので、装着凹部１２に装着されるパック電池７０を安定して支持できる特徴がある。この突出片４８は、突出量を大きくすることでパック電池７０を安定して支持できる。したがって、位置決めケース４５は、装着されるパック電池７０の背面の３／５以上、好ましくは２／３以上を支持できるように突出片４８の突出量を調整する。
【００５６】
さらに、図の位置決めケース４５は、携帯機器５０から取り出したパック電池７０を装着するとき、パック電池７０の出力端子８３が位置決めケース４５の筒体の内部に収納される状態で装着している。この位置決めケース４５は、携帯機器５０から取り外したパック電池７０の出力端子８３を外部に露出させることなく充電台１０にセットして充電できる。したがって、携帯機器５０から取り外したパック電池７０を充電する状態で、パック電池７０の出力端子８３に金属等の異物が不意に接触してショートする等の弊害を確実に阻止して安全に充電できる。さらに、この位置決めケース４５は、携帯機器５０から取り外したパック電池７０を装着する状態で持ち運びできる特徴もある。携帯機器５０から取り外したパック電池７０は出力端子８３が露出する状態となる。この状態でパック電池７０を持ち運びすると、出力端子８３が金属等に接触してショートしたり、あるいは、出力端子８３が異物との接触等により損傷するおそれがある。これに対して、この位置決めケース４５にパック電池７０を装着して持ち運ぶことで、出力端子８３を露出させることなく保護しながら、ショート等の弊害を有効に防止できる。すなわち、この位置決めケース４５は、携帯機器５０から外したパック電池７０の持ち運び用、あるいは保管用のケースとしても有効である。
【００５７】
さらにまた、図１８と図１９の位置決めケース４５は、下端から突出するガイド凸部４６を一体的に成形して設けている。充電台１０は、ガイド凸部４６を案内するガイド凹部１４Ａをストッパ壁１４に設けている。図６の充電台１０は、ストッパ壁１４の中央部にガイド凹部１４Ａを設けているので、位置決めケース４５は左右の中央部にガイド凸部４６を設けている。さらに、図に示す位置決めケース４５は、ストッパ壁１４に当接するウイング部４７を下端から突出して設けている。図に示すウイング部４７は、ガイド凸部４６の両側に一体的に設けている。このウイング部４７は、位置決めケース４５を充電台１０の装着凹部１２にセットする状態で、位置決めケース４５に装着されるパック電池７０を所定の位置に配置できるように、すなわち、パック電池７０の誘導コイル５１を充電台１０の電源コイル２１に接近できるように突出量を調整している。さらに、ガイド凸部４６の両側に設けるウイング部４７は、ガイド凸部４６よりも突出量を小さくしており、ウイング部４７の下端をストッパ壁１４に当接させる状態で、ガイド凸部４６をガイド凹部１４Ａに案内できるようにしている。以上の位置決めケース４５は、ウイング部４７の下端を充電台１０のストッパ壁１４に当接させて、ガイド凸部４６をガイド凹部１４Ａに案内することで、充電台１０の装着凹部１２に、より正確な位置に配置できる。装着凹部１２の定位置に配置される位置決めケース４５は、挿入しているパック電池７０を装着凹部１２の正確な位置に配置して、パック電池７０を効率よく充電できる。
【００５８】
位置決めケース４５は、携帯機器５０から分離されたパック電池７０を装着して装着凹部１２にセットする状態で、誘導コイル５１と電源コイル２１との相対位置を、パック電池７０を携帯機器５０に装着して装着凹部１２にセットする状態と同じ位置として、電池を効率よく速やかに充電できる。とくに、カバー４０で被覆して装着凹部１２にセットされる携帯機器５０は、図４に示すように、パック電池７０と装着凹部１２との間にカバー４０が配設される。したがって、位置決めケース４５は、図７に示すように、パック電池７０を装着して装着凹部１２にセットする状態で、パック電池７０を、カバー４０を被覆する携帯機器５０に装着して充電台１０にセットする状態における誘導コイル５１と電源コイル２１との相対位置と同じ位置となるようにして、効率よく速やかに充電できる。ただし、位置決めケース４５は、この状態における誘導コイル５１と電源コイル２１との相対位置よりもさらに誘導コイル５１を電源コイル２１に接近する状態として、効率よく電力搬送して電池５４を速やかに充電することができる。ただ、位置決めケースは、パック電池を装着して装着凹部にセットする状態で、誘導コイルが電源コイルから多少離れる状態となっても、電源コイルと誘導コイルを電磁結合して、電力搬送できる全ての状態で使用できる。
【００５９】
以上の携帯機器５０は、パック電池７０を装着する状態で充電台１０にセットしてパック電池７０を充電できる。また、パック電池７０を取り出して位置決めケース４５に装着して充電台１０にセットしてパック電池７０を充電することもできる。さらに、パック電池７０を取り出して充電台１０で充電しながら、携帯機器５０の電池装着部６１に単３電池５４Ｂを入れて使用することもできるので、ユーザーは携帯機器５０を使用しながらパック電池７０を充電して便利に使用できる。ただし、電池装着部は、必ずしも単３電池を装着できる形状とする必要はない。それは、複数のパック電池を使用することで、ひとつのパック電池を位置決めケースに入れて充電しながら、他のパック電池を携帯機器にセットして携帯機器を使用できるからである。
【符号の説明】
【００６０】
１０…充電台                        １０Ａ…第１の充電台
１０Ｂ…第２の充電台
１１…ケース                        １１Ａ…上ケース
１１Ｂ…下ケース
１２…装着凹部
１３…湾曲底面
１４…ストッパ壁                    １４Ａ…ガイド凹部
１５…側壁
１６…支持台                        １６Ａ…傾斜面
１７…連結部                        １７ａ…回転軸
１７ｂ…嵌着凸部
１８…嵌着凹部
１９…収納凹部
２０…回路基板
２１…電源コイル
２２…電源
２３…シールド層
２５…ＡＤアダプタ
２６…電源コネクタ
２７…外部入力コネクタ
２８…電源コード
３０…ＬＥＤ
３１…光ガイド                      ３１Ａ…露出部
４０…カバー
４５…位置決めケース
４６…ガイド凸部
４７…ウイング部
４８…突出片
５０…携帯機器                      ５０Ａ…第１の携帯機器
５０Ｂ…第２の携帯機器
５１…誘導コイル
５２…充電回路
５３…湾曲背面
５４…電池                          ５４Ａ…単４電池
５４Ｂ…単３電池
６１…電池収納部
６２…電源端子
６３…脱着蓋
６５…操作部
６６…隔壁
６７…係止凹部
６８…係止凹部
６９…ガイド溝
７０…パック電池
７１…電池ケース                    ７１ａ…案内溝
７１ｂ…保持リブ
７１ｃ…端子窓
７２…電池ホルダ                    ７２ａ…嵌着凹部
７２ｂ…周壁
７２ｃ…凹部
７３…回路基板
７４…ブラケット                    ７４ａ…位置決め凸部
７５…シールド層
７６…閉塞プレート                  ７６Ａ…ネジ止めボス
７７…係止フック
７８…弾性フック
７９…凸条
８０…電池組立
８１…止ネジ
８２…収納スペース
８３…出力端子
８４…電子部品
【図１】
2010206881.tif 000003
【図２】
2010206881.tif 000004
【図３】
2010206881.tif 000005
【図４】
2010206881.tif 000006
【図５】
2010206881.tif 000007
【図６】
2010206881.tif 000008
【図７】
2010206881.tif 000009
【図８】
2010206881.tif 000010
【図９】
2010206881.tif 000011
【図１０】
2010206881.tif 000012
【図１１】
2010206881.tif 000013
【図１２】
2010206881.tif 000014
【図１３】
2010206881.tif 000015
【図１４】
2010206881.tif 000016
【図１５】
2010206881.tif 000017
【図１６】
2010206881.tif 000018
【図１７】
2010206881.tif 000019
【図１８】
2010206881.tif 000020
【図１９】
2010206881.tif 000021